(57)【要約】【課題】被包装物の挿入や取り出しが容易に行えるという利便性を確保しながら、開口部からの被包装物の意図しない脱落を阻止することが可能な包装箱を提供する。【解決手段】包装箱１は、側面２に開口部３を備えるとともに、この開口部３近傍に底面４ａから上方に延びる形の切片で形成され、被包装物１００の開口部３からの脱落を阻止するサイドストッパ部７を備えている。したがって、簡便な構成により、開口部３から被包装物１００が脱落するのを阻止し、包装箱１内に安定させることができる。【選択図】図４
2008074475.tif 000002
【特許請求の範囲】
【請求項１】
側面に開口部を備えるとともに、この開口部近傍に底面から上方に延びる形の切片で形成され、被包装物の前記開口部からの脱落を阻止するサイドストッパ部を備えることを特徴とする包装箱。
【請求項２】
前記サイドストッパ部は、前記開口部近傍の底面からの切り起こしにて構成されることを特徴とする請求項１に記載の包装箱。
【請求項３】
前記開口部に少なくとも底面が外側に延びる延長部を備えるとともに、前記サイドストッパ部は、この延長部に設けられ、前記側面に沿って略平行な方向において内側に折り曲げる形で構成されることを特徴とする請求項１に記載の包装箱。
【請求項４】
前記サイドストッパ部は、前記延長部の複数箇所に設けられ、それらが互いに係合する切り込みを備えることを特徴とする請求項３に記載の包装箱。
【請求項５】
前記開口部の上方に、被包装物の上方への移動を阻止する上ストッパ部を備えることを特徴とする請求項１〜請求項４のいずれか１項に記載の包装箱。
【発明の詳細な説明】
【技術分野】
【０００１】
本発明は、被包装物である物品を包装するための包装箱に関する。
【背景技術】
【０００２】
画像形成装置や家庭用電化製品、そしてそれらを構成する機能部材や電子部品等の物品は、通常段ボール等で構成される包装箱によって包装され、出荷されている。包装箱は、被包装物である物品を段ボール製の箱にすっぽりと収容する形のものが多い。搬送時の衝撃から被包装物を保護するために、緩衝部材を介して包装箱に被包装物を収容する場合も多い。
【０００３】
電子機器や電化製品などの被包装物を包装する場合、外箱となる大きな箱に、主となる物品と一緒にその付属品を小箱に入れて収容することがある。このような梱包方法（包装箱）の一例を、特許文献１に見ることができる。また、被包装物を個装した小箱を、複数個まとめて大きな外箱に収容することがある。このような包装箱の一例を、特許文献２に見ることができる。
【０００４】
特許文献１及び２に見られるような、小さな付属品を小箱（付属品箱）に入れて外箱内に収容したり、単一の外箱に複数の小箱（個装カートン）をまとめて収容したりすることは、外箱内の複数の被包装物が互いに衝突したり、外箱が衝撃を受けて小箱内の被包装物が大きく移動し、内壁に衝突したりしないように、緩衝作用をもたらすものである。そのようにして外箱内に収容された小箱は、小箱内に収容された被包装物を破損から保護している。
【特許文献１】特開２００３−２９２０４８号公報（第６頁、図６）
【特許文献２】特開２０００−６２７５９号公報（第３頁、図１）
【発明の開示】
【発明が解決しようとする課題】
【０００５】
特許文献１及び２に記載された包装箱であれは、外箱内に収容された付属品箱や個装カートンといった小箱により、小箱内の被包装物を、外箱内に整然と収容することができ、且つ搬送時の衝撃から保護することができる。しかしながら、そのように外箱内に収容される小箱においては、被包装物の周囲を完全にカバーした箱形状である必要はなく、被包装物の挿入や取り出しが容易に行えるほどの大きな開口を備えた、簡易的な包装箱でも構わない場合がある。これにより、包装に掛かる手間や時間が大幅に削減できたり、包装箱自体に関して省資源化、低コスト化を図ったりすることが可能である。
【０００６】
しかしながら、そのような簡易的な包装箱であっても、その開口部から簡単に被包装物が脱落するようであれば、包装箱の取り扱いを慎重に行う必要がある。これにより、非常に作業性が悪くなるといった問題が発生する。したがって、大きな開口を備えた簡易的な包装箱においては、被包装物の挿入や取り出しが容易に行えるという利便性を確保しながら、開口部から簡単に被包装物が脱落しないような、格別の配慮を施して設計する必要がある。
【０００７】
本発明は上記の点に鑑みなされたものであり、大きな開口を備えた簡易的な包装箱であっても、被包装物の挿入や取り出しが容易に行えるという利便性を確保しながら、開口部からの被包装物の意図しない脱落を阻止することが可能な包装箱を提供することを目的とする。
【課題を解決するための手段】
【０００８】
上記の課題を解決するため、本発明は、包装箱において、側面に開口部を備えるとともに、この開口部近傍に底面から上方に延びる形の切片で形成され、被包装物の前記開口部からの脱落を阻止するサイドストッパ部を備えることとした。
【０００９】
また、上記構成の包装箱において、前記サイドストッパ部は、前記開口部近傍の底面からの切り起こしにて構成されることとした。
【００１０】
また、上記構成の包装箱において、前記開口部に少なくとも底面が外側に延びる延長部を備えるとともに、前記サイドストッパ部は、この延長部に設けられ、前記側面に沿って略平行な方向において内側に折り曲げる形で構成されることとした。
【００１１】
また、上記構成の包装箱において、前記サイドストッパ部は、前記延長部の複数箇所に設けられ、それらが互いに係合する切り込みを備えることとした。
【００１２】
また、上記構成の包装箱において、前記開口部の上方に、被包装物の上方への移動を阻止する上ストッパ部を備えることとした。
【発明の効果】
【００１３】
本発明の構成によれば、包装箱は、側面に開口部を備えるとともに、この開口部近傍に底面から上方に延びる形の切片で形成され、被包装物の開口部からの脱落を阻止するサイドストッパ部を備えることとしたので、簡便な構成により、開口部から被包装物が脱落するのを阻止し、包装箱内に安定させることができる。そして、サイドストッパ部を倒すことにより、開口部から容易に被包装物を挿入したり、取り出したりすることが可能である。このようにして、大きな開口を備えた簡易的な包装箱であっても、被包装物の挿入や取り出しが容易に行えるという利便性を確保しながら、開口部からの被包装物の意図しない脱落を阻止することが可能な包装箱を得ることができる。
【００１４】
また、サイドストッパ部は、開口部近傍の底面からの切り起こしにて構成されることとしたので、別部材を貼り付けるなどして構成する必要がない。したがって、さらに低コスト化が図られた簡便な構成により、被包装物の挿入や取り出しが容易に行えるという利便性を確保しながら、開口部からの被包装物の意図しない脱落を阻止することが可能な包装箱を得ることができる。
【００１５】
また、開口部に少なくとも底面が外側に延びる延長部を備えるとともに、サイドストッパ部は、この延長部に設けられ、前記側面に沿って略平行な方向において内側に折り曲げる形で構成されることとしたので、被包装物が衝撃で開口部の方向に移動した場合であっても、被包装物の開口部からの脱落を強固に阻止することが可能である。したがって、被包装物の開口部からの脱落に対する安全性が増し、被包装物を包装箱内に安定させる作用を一層高めることができる。
【００１６】
また、サイドストッパ部は、延長部の複数箇所に設けられ、それらが互いに係合する切り込みを備えることとしたので、簡単に開口部の箇所から外側に変位するのを防止することが可能である。これにより、包装箱に様々な外力などが加わることによって被包装物に対する脱落防止作用が効かなくなるのを防ぐことができる。したがって、被包装物を包装箱内に安定させる作用を、より一層向上させることが可能である。
【００１７】
また、開口部の上方に、被包装物の上方への移動を阻止する上ストッパ部を備えることとしたので、被包装物の、開口部からの脱落防止だけでなく、上方への移動も阻止することができる。これにより、被包装物を包装箱内に、さらに安定させて保持することができる。そして、開口部内側の被包装物上部に、包装箱内面との接触を避けたい箇所がある場合に有効である。
【発明を実施するための最良の形態】
【００１８】
以下、本発明の実施形態を図１〜図１０に基づき説明する。
【００１９】
最初に、本発明の第１の実施形態に係る包装箱について、図１〜図４を用いてその構成を説明する。図１は包装箱全体の斜視図、図２は包装箱の展開図である。図３は包装箱の開口部周辺を示す部分拡大斜視図、図４は図３と同様の包装箱の開口部周辺を示す部分拡大斜視図にして、サイドストッパ部を起こした状態を示すものである。なお、図１において、紙面に向かって右手前が包装箱の正面である。
【００２０】
図１に示すように、包装箱１は、横方向に長細い略六面体形状をなしている。この包装箱１の内部の収容空間に、被包装物１００が収容されている。
【００２１】
包装箱１は、左右の側面２の箇所に開口部３を備えている。この開口部３からは、延長部４が、各々外側に突出するように延びている。延長部４は、包装箱１の本体部から、上面を除く、底面４ａと、正面４ｂと、背面４ｃとが延びた樋形状で構成されている。
【００２２】
包装箱１を展開すると、図２に示す展開図となる。包装箱１は、展開した状態において略矩形の板状をなす部材であって、厚さ１５０〜２００μｍのＰＥＴ（ポリエチレンテレフタレート）製シートで構成されている。なお、包装箱１を構成する材料は、ＰＥＴに限定されるわけではなく、他の合成樹脂や段ボールなどで構成しても構わない。
【００２３】
包装箱１は、図１及び図２に示すように、長手方向略中央部に、係合孔５と係止片６とを備えている。包装箱１を箱形状に組み立てたとき、係合孔５に係止片６を引っ掛けることにより、粘着テープや接着剤等を用いることなく、箱形状から板状に容易に展開してしまわないようにすることが可能である。
【００２４】
図３に示すように、延長部４には、その端部より長手方向内側の底面４ａに、サイドストッパ部７が備えられている。サイドストッパ部７は、包装箱１の長手方向と直角をなす方向、すなわち前後方向に、樋形状である延長部４の底面４ａとほぼ同じ長さで、長手方向に所定の長さを有する四角形状で、図４に示すように、底面４ａから上方に延びる形の切片で形成されている。このサイドストッパ部７は、底面４ａからの切り起こしで構成され、長手方向内側から外側に向かって折り曲げるようにして立ち上げる。また、サイドストッパ部７は、図１及び図２に示すように、包装箱１の左右の延長部４において、同様の構成のものが各々１個づつ備えられている。
【００２５】
上記構成の包装箱１においては、図４に示すように被包装物１００がその内部に収容される。被包装物１００は、包装箱１の左右のサイドストッパ部７の内側に収容される。そして、サイドストッパ部７は、被包装物１００の開口部３からの脱落を阻止する。また、サイドストッパ部７は、内側から外側に向かって折り曲げられて立ち上げられているので、被包装物１００をその内側に向かって付勢することも可能である。
【００２６】
開口部３上方の側面２の下端は、上ストッパ部８としても作用する。これにより、開口部３から一部が突出している被包装物１００は、上方への移動が妨げられる。
【００２７】
上記のようにして、包装箱１は、側面２に開口部３を備えるとともに、この開口部３近傍に底面４ａから上方に延びる形の切片で形成され、被包装物１００の開口部３からの脱落を阻止するサイドストッパ部７を備えているので、簡便な構成により、開口部３から被包装物１００が脱落するのを阻止し、包装箱１内に安定させることができる。そして、サイドストッパ部７を倒すことにより、開口部３から容易に被包装物１００を挿入したり、取り出したりすることが可能である。このようにして、大きな開口部３を備えた簡易的な包装箱１であっても、被包装物１００の挿入や取り出しが容易に行えるという利便性を確保しながら、開口部３からの被包装物１００の意図しない脱落を阻止することが可能な包装箱１を得ることができる。
【００２８】
そして、サイドストッパ部７は、開口部３近傍の底面４ａからの切り起こしにて構成されているので、別部材を貼り付けるなどして構成する必要がない。したがって、さらに低コスト化が図られた簡便な構成により、被包装物１００の挿入や取り出しが容易に行えるという利便性を確保しながら、開口部３からの被包装物１００の意図しない脱落を阻止することが可能な包装箱１を得ることができる。
【００２９】
また、開口部３の上方に、被包装物１００の上方への移動を阻止する上ストッパ部８を備えているので、被包装物１００の、開口部３からの脱落防止だけでなく、上方への移動も阻止することができる。これにより、被包装物１００を包装箱１内に、さらに安定させて保持することができる。そして、開口部３内側の被包装物１００上部に、包装箱１内面との接触を避けたい箇所がある場合に有効である。
【００３０】
なお、上記第１の実施形態に係る包装箱１は、延長部４を備え、この延長部４の底面４ａにサイドストッパ部７を設けているが、延長部４を廃し、開口部３近傍の、包装箱１の本体部の底面にサイドストッパ部７を設ける構成としても構わない。この場合、側面２が兼ね備える上ストッパ部８は、包装箱１の内側に別途設ける。
【００３１】
次に、本発明の第２の実施形態に係る包装箱について、図５〜図１０を用いてその構成を説明する。図５は包装箱全体の斜視図、図６は包装箱の展開図である。図７は包装箱の左側の開口部周辺を示す部分拡大斜視図、図８は図７と同様の包装箱の左側の開口部周辺を示す部分拡大斜視図にして、サイドストッパ部を構成した状態を示すものである。図９は包装箱の右側の開口部周辺を示す部分拡大斜視図、図１０は図９と同様の包装箱の右側の開口部周辺を示す部分拡大斜視図にして、サイドストッパ部を構成した状態を示すものである。なお、この実施形態の基本的な構成は、図１〜図４を用いて説明した前記第１の実施形態と同じであるので、第１の実施形態と共通する構成要素には前と同じ符号を付し、説明は省略するものとする。
【００３２】
第２の実施形態に係る包装箱１は、図５及び図６に示すように、その左右の延長部４に、各々サイドストッパ部９、１０を備えている。左右の延長部４における各サイドストッパ部９、１０は、延長部４の正面４ｂと背面４ｃとに各々１箇所ずつであって、底面４ａから上方に延びる形の切片で形成されている。サイドストッパ部９、１０は、延長部４の長手方向端部に設けられている。
【００３３】
図７に示すように、包装箱１の左側のサイドストッパ部９は、その上部に切り込み９ａが備えられている。一方の切り込み９ａは長手方向外側から、他方の切り込み９ａは内側から設けられ、双方ほぼ同じ高さに配置されている。各切り込み９ａの長さは、サイドストッパ部９の幅（長手方向長さ）の半分よりやや長めとなっている。
【００３４】
包装箱１の左側の、２箇所のサイドストッパ部９は、包装箱１の側面２に沿って、すなわち前後方向に平行な方向において内側に折り曲げ、各切り込み９ａを互いに係合させると、図８に示す構成となる。被包装物１００は、このように構成されたサイドストッパ９の長手方向内側に収容され、開口部３からの脱落が阻止される。
【００３５】
一方、包装箱１の右側のサイドストッパ部１０は、左側のサイドストッパ部９とは異なり、図９に示すように切り込みが備えられていない。右側のサイドストッパ部１０は、図１０に示すように被包装物１００の端部に突出部１０１が構成されている場合、内側に折り曲げることにより、その突出部１０１の下側に入り込む。これにより、サイドストッパ部１０の長手方向内側に収容された被包装物１００は、サイドストッパ部１０に引っ掛かり、開口部３からの脱落が阻止される。
【００３６】
このようにして、開口部３に少なくとも底面４ａが外側に延びる延長部４を備えるとともに、サイドストッパ部９、１０は、この延長部４に設けられ、包装箱１の側面２に沿って略平行な方向において内側に折り曲げる形で構成されるので、被包装物１００が衝撃で開口部３の方向に移動した場合であっても、被包装物１００の開口部３からの脱落を強固に阻止することが可能である。したがって、被包装物１００の開口部３からの脱落に対する安全性が増し、被包装物１００を包装箱１内に安定させる作用を一層高めることができる。
【００３７】
また、サイドストッパ部９は、延長部４の２箇所に設けられ、それらが互いに係合する切り込み９ａを備えているので、簡単に開口部３の箇所から外側に変位するのを防止することが可能である。これにより、包装箱１に様々な外力などが加わることによって被包装物１００に対する脱落防止作用が効かなくなるのを防ぐことができる。したがって、被包装物１００を包装箱１内に安定させる作用を、より一層向上させることが可能である。
【００３８】
なお、切り込みが備えられていない右側のサイドストッパ部１０は、延長部４の正面４ｂ側、或いは背面４ｃ側のいずれか一方のみに設けられていることとしても構わない。
【００３９】
以上、本発明の実施形態につき説明したが、本発明の範囲はこれに限定されるものではなく、発明の主旨を逸脱しない範囲で種々の変更を加えて実施することができる。
【産業上の利用可能性】
【００４０】
本発明は、被包装物である物品を包装するための包装箱全般において利用可能である。
【図面の簡単な説明】
【００４１】
【図１】本発明の第１の実施形態に係る包装箱全体の斜視図である。
【図２】図１に示す包装箱の斜視図である。
【図３】図１に示す包装箱の開口部周辺を示す部分拡大斜視図である。
【図４】図３と同様の開口部周辺を示す部分拡大斜視図にして、サイドストッパ部を起こした状態を示すものである。
【図５】本発明の第２の実施形態に係る包装箱全体の斜視図である。
【図６】図５に示す包装箱の斜視図である。
【図７】図５に示す包装箱の左側の開口部周辺を示す部分拡大斜視図である。
【図８】図７と同様の左側の開口部周辺を示す部分拡大斜視図にして、サイドストッパ部を構成した状態を示すものである。
【図９】図５に示す包装箱の右側の開口部周辺を示す部分拡大斜視図である。
【図１０】図９と同様の右側の開口部周辺を示す部分拡大斜視図にして、サイドストッパ部を構成した状態を示すものである。
【符号の説明】
【００４２】
１    包装箱
２    側面
３    開口部
４    延長部
４ａ  底面
４ｂ  正面
４ｃ  背面
７    サイドストッパ部
８    上ストッパ部
９    （左側）サイドストッパ部
９ａ  切りこみ
１０  （右側）サイドストッパ部
【図１】
2008074475.tif 000003
【図２】
2008074475.tif 000004
【図３】
2008074475.tif 000005
【図４】
2008074475.tif 000006
【図５】
2008074475.tif 000007
【図６】
2008074475.tif 000008
【図７】
2008074475.tif 000009
【図８】
2008074475.tif 000010
【図９】
2008074475.tif 000011
【図１０】
2008074475.tif 000012